(57)【要約】【課題】化粧料の塗布感触を、より正確に且つより客観的に評価することのできる方法を提供する。【解決手段】化粧料の塗布感触を評価する方法が、化粧料を所定の基材に塗布し、当該基材に塗布された化粧料の表面を擦ることによって発生する摩擦音を、収集する摩擦音収集ステップと、前記収集された摩擦音を解析して、周波数スペクトル又は周波数に関連する特性値を求める解析ステップと、前記周波数スペクトル又は前記周波数に関連する特性値、及び予め取得しておいた摩擦音と官能評価との相関関係に基づいて、前記化粧料の塗布感触を評価する評価ステップとを含む。【選択図】図１
2018151258.tif 000002
【特許請求の範囲】
【請求項１】
化粧料を所定の基材に塗布し、当該基材に塗布された化粧料の表面を擦ることによって発生する摩擦音を、収集する摩擦音収集ステップと、
前記収集された摩擦音を解析して、周波数スペクトル又は周波数に関連する特性値を求める解析ステップと、
前記周波数スペクトル又は前記周波数に関連する特性値、及び予め取得しておいた摩擦音と官能評価との相関関係に基づいて、前記化粧料の塗布感触を評価する評価ステップとを含む、化粧料の塗布感触を評価する方法。
【請求項２】
前記周波数に関連する特性値が、前記周波数スペクトルにおける所定の周波数帯域に対応する周波数成分の、全周波数帯域の周波数成分の合計に対する含有率である、請求項１に記載の方法。
【請求項３】
前記周波数に関連する特性値が、前記周波数スペクトルにおける第１の周波数帯域に対応する周波数成分の含有率である第１の特性値と、当該第１の周波数帯域と重複しない第２の周波数帯域に対応する周波数成分の含有率である第２の特性値との比に基づいて求められる、請求項２に記載の方法。
【請求項４】
前記第１の周波数帯域が、前記第２の周波数帯域より高い周波数帯域である、請求項３に記載の方法。
【請求項５】
前記第１の周波数帯域が３，０００〜１７，０００Ｈｚの周波数帯域を含み、前記第２の周波数帯域が４０〜１００Ｈｚの周波数帯域を含む、請求項４に記載の方法。
【請求項６】
化粧料を所定の基材に塗布し、当該基材に塗布された化粧料の表面を擦ることによって発生する摩擦音を、収集する摩擦音収集手段と、
前記収集された摩擦音を解析して、周波数スペクトル又は周波数に関連する特性値を求める解析手段と、
前記周波数スペクトル又は前記周波数に関連する特性値、及び予め取得しておいた摩擦音と官能評価との相関関係と比較することによって、前記化粧料の塗布感触を評価する評価手段とを含む、化粧料の塗布感触を評価する装置。
【請求項７】
請求項１から５のいずれか一項に記載の方法によって複数の化粧料を評価し、
前記評価によって各化粧料の官能評価を推定し、
前記推定された官能評価に基づき、前記複数の化粧料から、所望の官能評価が推定される化粧料を選択する、化粧料を選択する方法。
【発明の詳細な説明】
【技術分野】
【０００１】
本発明は、化粧料の塗布感触を評価する方法、化粧料の塗布感触を評価する装置、及び化粧料を選択する方法に関する。
【背景技術】
【０００２】
化粧料等を肌に塗布する際の感触（塗布感触）は、化粧料の選択等における重要な要素であるが、その客観的な評価は難しい。そのため、塗布感触の評価は、多数の消費者アンケートや訓練を受けた専門パネルによる判定に頼ることが多い。しかし、そのような評価は、コストや手間がかかる上、客観性に欠ける場合もある。
【０００３】
近年、官能評価に頼らずに塗布感触を評価する手法も報告されている。例えば、特許文献１には、ＡＥ（アコースティックエミッション）を検出することで、化粧品のなめらかさ等を評価することが記載されている。
【０００４】
また、非特許文献１には、パーソナルケア製品やパーソナル洗浄製品を肌に適用した時に生じる音響信号を、近くに設置した音響プローブによって検出し、解析することが記載されている。
【先行技術文献】
【特許文献】
【０００５】
【特許文献１】特開２００２−７１６５２号公報
【非特許文献】
【０００６】
【非特許文献１】Ｊｕｎｑｉ  Ｄｉｎｇ  ｅｔ  ａｌ．"Ｓｅｎｓｏｒｙ  Ａｃｏｕｓｔｉｃｓ  ａｎｄ  Ｉｔｓ  Ａｐｐｌｉｃａｔｉｏｎｓ  ｉｎ  ｔｈｅ  Ａｓｓｅｓｓｍｅｎｔ  ｏｆ  Ｐｅｒｓｏｎａｌ  Ｗａｓｈ  ａｎｄ  Ｐｅｒｓｏｎａｌ  Ｃａｒｅ  Ｐｒｏｄｕｃｔｓ"，ＩＦＳＣＣ  Ｃｏｎｇｒｅｓｓ  Ｏｓａｋａ，２００６，ｐｐ１４４−１４５
【発明の概要】
【発明が解決しようとする課題】
【０００７】
しかしながら、特許文献１の方法は、圧電素子等のＡＥセンサを被塗布体に接触させて移動させた際に発生するＡＥを測定するものであり、音（空気を伝播する振動）の信号を取得するものではない。そのため、特許文献１の方法では、化粧料によって異なる塗布感触の微妙な差異を評価できない可能性がある。
【０００８】
また、非特許文献１では、感触の判定を音響信号の検出に伴って行うので、判定された感触は、化粧料を適用する皮膚や髪の状態にも依存する。そのため、非特許文献１の開示に基づく方法では、塗布感触を、化粧料固有の特性として客観的に評価することは難しい。
【０００９】
上記の点に鑑みて、本発明の一形態は、化粧料の塗布感触を、より正確に且つより客観的に評価することのできる方法を提供することを課題とする。
【課題を解決するための手段】
【００１０】
上記課題を解決するため、本発明の一形態は、化粧料の塗布感触を評価する方法であって、化粧料を所定の基材に塗布し、当該基材に塗布された化粧料の表面を擦ることによって発生する摩擦音を、収集する摩擦音収集ステップと、前記収集された摩擦音を解析して、周波数スペクトル又は周波数に関連する特性値を求める解析ステップと、前記周波数スペクトル又は前記周波数に関連する特性値、及び予め取得しておいた摩擦音と官能評価との相関関係に基づいて、前記化粧料の塗布感触を評価する評価ステップとを含む。
【発明の効果】
【００１１】
本発明の一形態によれば、化粧料の塗布感触を、より正確に且つより客観的に評価することのできる方法が提供される。
【図面の簡単な説明】
【００１２】
【図１】本発明の一形態による方法を示すフロー図である。
【図２】本発明の一形態を実施するための装置の概略図である。
【図３】本発明の一形態によって得られる周波数スペクトルを模式的に示す図である。
【図４】本発明の一形態において解析ソフトによって得られる周波数スペクトルの例を示す図である。
【図５】本発明の一形態における摩擦音と官能評価と相関関係の一例を示す図である。
【発明を実施するための形態】
【００１３】
以下、本発明を実施するための形態について説明するが、本発明は、下記の実施形態に限定されることはない。
【００１４】
本形態は、化粧料の塗布感触を評価する方法であって、化粧料を所定の基材に塗布し、基材に塗布された化粧料の表面を擦ることによって発生する摩擦音を、収集する摩擦音収集ステップと、収集された摩擦音を解析して、周波数スペクトル又は周波数に関連する特性値を求める解析ステップと、求められた周波数スペクトル又は周波数に関連する特性値、及び予め取得しておいた摩擦音と官能評価との相関関係に基づいて、化粧料の塗布感触を評価する評価ステップとを含む。
【００１５】
本形態において、化粧料の塗布感触とは、化粧料を顔や身体に塗布した時に人が感じる感覚（塗り心地、使用感等とも呼ばれる）である。塗布感触の具体的な例としては、きしみのなさ、やわらかさ、肌当たりのやわらかさ、しっとりさ（しっとり感）、滑らかさ、べたつきのなさ、浸透感、粘度、とろみ、のばし始めののびの軽さ、こく、のびの軽さ、ぬめりのなさ、なじみの早さ、みずみずしさ、さっぱりさ（さっぱり感）、油っぽさのなさ、被膜感を感じない等が挙げられる。上記のうち、「きしみのなさ」とは、使用後に肌をなでたとき、引っかかるような感覚がないことを指す。また、「やわらかさ」とは、使用後に肌に触れたとき、うるおいがあり、やわらかくなったような感覚があることを指し、「肌あたりのやわらかさ」とは、使用中、化粧料がやわらかくのび広がる感覚があることを指す。
【００１６】
本明細書において、音とは、基材及び動作体（基材に対して擦る動作を行う主体）の周囲の媒質（空気）を介して伝播する弾性波を指し、人の耳で知覚できない周波数の音（非可聴周波数音）や人の耳で知覚できない大きさの音（非可聴音圧音）も含んでいてよい。
【００１７】
本形態によって収集又は取得される音は、化粧料を所定の基材（被塗布体）に塗布し、当該基材に塗布された化粧料の表面を擦ることによって発生する音（摩擦音）である。ここで、化粧料を所定の基材に塗布するとは、例えば、基材上に化粧料を、所定の量で塗り広げること等により、基材の表面に化粧料を付着させることを指す。また、所定の深さのある容器に所定の基材を入れ、容器内に化粧料を注ぎ入れて、基材全体が化粧料中に浸漬された状態とすること等により、基材の表面に化粧料を付着させることを指す。基材が化粧料中に浸漬された状態で基材の表面を動作体（指等、人の身体の一部を含む）で擦る場合であっても、基材の表面と動作体との間に化粧料の被膜が形成されるので、動作体は化粧料の表面を擦ることになる。さらに、容器内に化粧料を注ぎ入れ、その容器の底面又は側面を基材とすることも含まれ、その場合には、動作体によって、容器の底面又は側面を擦ることによって発生する音を収集する。
【００１８】
また、化粧料の表面の擦り方（撫で方又は摩擦の仕方）は、後述の相関関係（データベース）を取得するために行われる摩擦音の収集と同じ条件で行われるのであれば、往復運動の摩擦動作であっても一方向のみの摩擦動作であってもよい。また、基材上で円又はその他の図形を描くような動作であってもよい。
【００１９】
また、化粧料は、製品として提供される化粧料の他、化粧料用原料、具体的には化粧料基剤等も含むことができる。
【００２０】
本形態では、化粧料を擦ることによって生じる摩擦音を非接触式に収集し、その摩擦音に基づいて化粧料の評価を行う。このように収集される摩擦音は、検出対象に接触させた圧電素子等によって検出される振動等とは異なり、塗布された化粧料及び接触手段のいずれとも接触せずに検出される、媒質（空気）を介して伝わる振動である。そのため、従来検出することができなった化粧料の微妙な塗布感触の特性を捉えることが可能となる。
【００２１】
また、本形態では、収集した摩擦音と、既に同じ条件で収集された摩擦音とその塗布感触の官能評価との相関関係（データベース）とに基づいて評価を行う。本形態は、化粧料を肌や髪等に塗布した音を収集すると同時に感触評価を行う方法とは異なり、肌や髪のコンディション（肌がカサついている、髪がパサついている等）が評価に影響することはない。そのため、化粧料の塗布感触を、化粧料固有の特性としてより客観的に評価することができる。
【００２２】
図１に、本発明の具体的な形態のフロー図を示す。本形態による化粧料の塗布感触を評価する方法は、化粧料を所定の基材に塗布し、基材に塗布された化粧料の表面を擦ることによって発生する摩擦音を収集する摩擦音収集ステップ（Ｓ１）と、収集された摩擦音を解析して、周波数スペクトル又は周波数に関連する特性値を求める解析ステップ（Ｓ２）と、求められた周波数スペクトル又は周波数に関連する特性値、及び予め取得しておいた摩擦音と官能評価との相関関係に基づいて、化粧料の塗布感触を評価する評価ステップ（Ｓ３）とを含む。以下、本形態に基づき説明する。
【００２３】
＜摩擦音収集ステップ（Ｓ１）＞
摩擦音収集ステップ（Ｓ１）は、化粧料を所定の基材に塗布し、基材に塗布された化粧料の表面を擦ることによって発生する摩擦音を、非接触式に収集するステップである。
【００２４】
（摩擦音の発生）
摩擦音を発生させるには、塗布感触を評価したい化粧料を、所定の基材に塗布しておいて、その後、所定の圧力で所定の時間にわたり、基材に塗布された化粧料の表面を擦ること又は撫でることによって行うことができる。
【００２５】
摩擦音の発生は、例えば、図２に示すような摩擦音発生手段１０を使用することができる。図２に示すように、摩擦音発生手段１０は、移動テーブル１１と、移動テーブル１１の上方に配置された接触子１２とを有している。移動テーブル１１は、接触子１２対して相対的に、図示の矢印方向に往復運動可能となっている。このような摩擦音発生手段１０としては、例えば、静・動摩擦測定機（トリニティーラボ社製、トライボマスターＴｙｐｅ：ＴＬ２０１Ｔｓ）を用いることができる。
【００２６】
摩擦音発生手段１０の移動テーブル１１には、基材１４を貼り付け、その上に化粧料１３を塗布することができる。また、化粧料を基材１４に塗布しておき、化粧料が塗布された基材１４を移動テーブル１１に設置することもできる。一方、接触子１２の接触面も被覆材１５で覆うことができる。基材１４及び被覆材１５は同じものであってもよいし、異なっていてもよい。
【００２７】
基材１４及び被覆材１５としては、例えば、人工皮革を用いることができる。人工皮革等を用いた場合、発生する摩擦音を、人の身体の一部（指等）によって人の身体の別の一部（顔等）に化粧料を適用した場合の摩擦音に近付けることができ、好ましい。人工皮革としては、出光テクノファイン社製、サプラーレ（登録商標）等を用いることができる。なお、人工皮革は手軽に入手可能であり、堅牢である点で好ましいが、基材として、人工皮膚や動物の皮等を使用することもできる。
【００２８】
化粧料１３は、上記基材１４上に均一に塗り広げることが好ましく、例えば、幅１ｃｍ×長さ５ｃｍの面積に０．１〜２０μＬ／ｃｍ2で、好ましくは０．５〜１０μＬ／ｃｍ2で、より好ましくは１〜３μＬ／ｃｍ2で厚みが均一となるように広げることができる。このように化粧料１３を基材１４上に塗布した後、所定の押圧及び所定の速さで移動テーブル１１を往復運動させて摩擦動作を行う。その条件は、例えば、押圧５Ｎ、速さ５ｃｍ／ｓとすることができる。なお、摩擦動作は、移動テーブル１１を接触子１２に対して相対的に往復運動させるのではなく、接触子１２を移動テーブル１１に対して相対的に往復運動させることもできる。
【００２９】
（摩擦音の収集）
上述のように摩擦音発生手段１０によって発生した摩擦音１８を、図２に示すように、摩擦音収集手段２０によって収集する。具体的には、摩擦音収集手段２０は、マイクロホン等の音検出手段２１とレコーダー等の音記録手段２２とを含んでおり、摩擦音１８は、音検出手段２１によって検出され、電気信号に変換された後、音記録手段２２によって記録（録音）される。
【００３０】
使用される摩擦音収集手段２０に特に制限はないが、広範な周波数帯域の音を収集できるものが好ましく、例えば、０〜５０，０００Ｈｚの周波数帯域、好ましくは１０〜２５，０００Ｈｚの周波数帯域の音を収集できるものが好ましい。摩擦音収集手段２０としては、マイクロホン付きのレコーダー、例えば、タスカム社製、ＰＣＭレコーダー  ＤＲ−０７ＭＫＩＩ等を用いることができる。このような摩擦音収集手段２０用いて、４８，０００Ｈｚまでの周波数を圧縮せずに録音することができる。
【００３１】
摩擦音を収集する時間には特に制限はないが、化粧料１３にある程度の時間にわたって繰り返し圧力をかけることで、基材上で化粧料の状態（厚さ、基材へのなじみ具合、乾燥状態）を安定させることができるので、摩擦音発生手段１０の作動開始（摩擦動作開始）から、数分後の摩擦音を収集することが好ましい。例えば、摩擦動作を開始してから５分経過後、６分経過するまでの約１分間にわたり、摩擦音を収集することができる。
【００３２】
また、摩擦音の収集は、常温で行うことができるが、肌の表面温度により近い温度、例えば、３０〜４０℃の温度で行って、化粧料の特性を評価することもできる。
【００３３】
＜解析ステップ（Ｓ２）＞
解析ステップ（Ｓ２）は、音収集ステップにより収集された摩擦音を解析し、周波数スペクトル又は周波数に関連する特性値を求めるステップである。
【００３４】
（周波数スペクトル）
上記の記録手段２２によって電気信号として記録された摩擦音１８は、図２に示すように、解析手段３０へと送られる。解析手段３０は、入力された摩擦音を周波数解析して、横軸が周波数、縦軸が周波数成分の大きさ（音圧）となるスペクトル（周波数スペクトル）を生成する。解析手段３０としては、音楽編集ソフトであるＡｕｄａｃｉｔｙ等を使用することができる。
【００３５】
周波数スペクトルは、収集された摩擦音を周波数成分ごとに分割し、それを並べて表示したものである。周波数スペクトルによって、周波数成分の強さ（音圧）の分布を示すことが可能となる。
【００３６】
図３に、周波数スペクトルを模式的に示した例を示す。図３の周波数スペクトルは、横軸に周波数、縦軸に音圧としたものであり、例として２つの異なる化粧料（基剤Ａ及び基材Ｂ）の周波数スペクトルを示したものである。所定の周波数帯域において音圧に差異が生じていることが分かる。
【００３７】
なお、摩擦音発生手段１０から発生する音には、所定の化粧料について得られた摩擦音の他に、基材１４から発生する音、機械音、環境音等も含まれているが、摩擦音発生の条件を同じにしておけば、得られた摩擦音を直接比較することで、化粧料による周波数成分の差異を比較することができる。また、摩擦音発生の条件が異なっていても、機械音及び環境音を別途測定し、その音による成分を差し引くことで、化粧料による周波数成分の差異を検出することもできる。
【００３８】
図４には、解析ソフト（解析手段３０）によって得られ、表示された周波数スペクトルの例を示す。図４（ａ）は、サンプリング数１２８で、縦軸を音圧（全周波数成分の合計の音圧をゼロとし、単位はｄＢ）、横軸を周波数軸として表示したスペクトルであり、比較的高周波以上の帯域（１，０００Ｈｚ以上）のスペクトルが表示されている。一方、図４（ｂ）は、サンプリング数６５５３６で、縦軸を音圧（全周波数成分の合計の音圧をゼロとし、単位はｄＢ）、横軸を対数周波数軸として表示したスペクトルである。
【００３９】
（特性値）
解析ステップ（Ｓ３）では、解析手段３０によって、摩擦音から変換された電気信号に基づいて周波数に関連する特性値を求めることができる。この特性値は、摩擦音から変化された電気信号から直接的に求めることもできるし、上述のように求められた周波数スペクトルに基づいて求めることもできる。
【００４０】
特性値は、周波数スペクトルにおける全周波数帯域の周波数成分に対する、特定の周波数帯域における周波数成分の含有率とすることができる。このように摩擦音の特徴を特性値に代表させておけば、後述の評価、すなわちデータベースとの比較を容易に行うことができる。
【００４１】
特性値としては、例えば、図４（ａ）の例のように、１３，０００〜１７，０００Ｈｚの周波数帯域における周波数成分の面積ＳＨを求め、さらにこの面積ＳＨを、全周波数帯域の周波数成分の合計の面積Ｓで除することによって、周波数成分の含有率（Ｈ＝ＳＨ／Ｓ）を求めることができる。なお、図４（ａ）のグラフには、全周波数帯域の周波数成分の合計の面積Ｓが表れていないが、利用する編集ソフトの横軸の設定を変更する等して、前周波数帯域を表示させることができる。また、特性値は、図４（ｂ）でも同様に求められる、特定の周波数帯域４０〜１００Ｈｚにおける周波数成分の面積ＳＬを全周波数帯域の周波数成分の合計の面積Ｓで割った含有率Ｌ（＝ＳＬ／Ｓ）であってもよい。
【００４２】
特性値は、１つの特定の周波数帯域についての値とすることもできるし、複数の特定の周波数帯域についてそれぞれ得られた複数の値とすることもできる。或いは、複数の特定の周波数帯域についての複数の特性値に基づいて得られる特性値であってもよい。例えば、特性値を、周波数スペクトルにおける第１の周波数帯域に対応する周波数成分の含有率である第１の特性値と、第１の周波数帯域と重複しない第２の周波数帯域に対応する周波数成分の含有率である第２の特性値との比に基づいて求めることもできる。よって、上記の比較的高い周波数の帯域に対応する周波数成分の含有率Ｈと、比較的低い周波数の帯域に対応する周波数成分の含有率Ｌに基づいて算出される値、例えば、Ｈ／Ｌであってもよい。
【００４３】
図示の例では、４０〜１００Ｈｚ及び１３，０００〜１７，０００Ｈｚの複数の周波数帯域についてそれぞれ特性値（含有率）を求めているが、特性値はこの例に限られない。例えば、特定の周波数帯域は、３，０００Ｈｚ以下の所定の周波数帯域、より具体的には、１，０００Ｈｚ以下、５００Ｈｚ以下、好ましくは４０〜１００Ｈｚの周波数帯域であってよい。また、比較的高い周波の帯域は、５，０００Ｈｚ以上の所定の周波数帯域、より具体的には、８，０００Ｈｚ以上、好ましくは１０，０００Ｈｚ以上、１３，０００〜１７，０００Ｈｚの周波数帯域であってよい。
【００４４】
＜評価ステップ（Ｓ３）＞
評価ステップ（Ｓ３）は、解析ステップ（Ｓ２）によって求められた周波数スペクトルと、予め取得しておいた摩擦音と官能評価との相関関係とに基づいて、化粧料の塗布感触を評価することを含む。また、解析ステップ（Ｓ２）によって求められた周波数に関連する特性値、及び予め取得しておいた摩擦音と官能評価との相関関係とに基づいて、化粧料の塗布感触を評価することもできる。
【００４５】
（摩擦音と官能評価との相関関係）
基材に塗布された化粧料の表面を擦った時に生じる摩擦音と、化粧料の組成の相違に起因する塗布感触の官能評価とには有意な相関があり、本形態はこの相関を利用して化粧料の評価を行うものである。よって、複数の既知の化粧料について、摩擦音の特徴と官能評価とを取得しておいて、それらの相関を予め求めておけば、その相関関係に基づいて、化粧料の評価を行うことができる。上記摩擦音の特徴とは、周波数に関連する特徴であり、具体的には、周波数スペクトル又は周波数に関連する特性値である。そして、評価の際には、評価対象となる化粧料の摩擦音を測定すれれば、上記相関関係に基づいて、化粧料の官能評価を実際に行わずとも、塗布感触の官能評価を推定することができる。
【００４６】
このような化粧料の摩擦音と官能評価との相関関係（データベース）は、例えば、以下のように求めることができる。まず、複数の基準化粧料を準備し、各基準化粧料について摩擦音を発生させ、収集する。基準化粧料の摩擦音の発生及び収集は、上記摩擦音収集ステップ（Ｓ１）で述べたように行い、摩擦音の発生及び収集の条件は、全ての基準化粧料について同一とする。また、化粧料の評価の際の、評価対象となる化粧料の摩擦音の発生及び収集の条件は、データベース作成時の摩擦音の発生及び収集の条件と同じとする。
【００４７】
なお、摩擦音発生手段で用いられる基材（人工皮革等）は、所定の基準化粧料の摩擦音の収集が終了して別の基準化粧料の摩擦音の収集を行う際には、新しいものと交換することができる。人体の皮膚や髪に直接化粧料を塗付して摩擦音を収集する場合には、１回の摩擦収集を行った後に皮膚や髪の状態を再度同じ条件に整えることは難しいが、本形態では人工皮革のような交換可能な基材を用いているので、同じ条件で基準化粧料の摩擦音を収集することができ、信頼性の高いデータベースを構築することが可能となる。
【００４８】
続いて、各基準化粧料について収集された摩擦音を解析し、周波数に関連する特性値をそれぞれ求める。特性値も、上記解析ステップ（Ｓ２）で説明したものと同様である。例えば、特性値として、特定の周波数帯域における周波数成分が、全周波数帯域の周波数成分の合計に対してどの程度の割合を占めるのか（含有率）を用いることができる。そして、この特定の周波数帯域は、比較的高い周波数帯域についての特性値及び比較的低い周波数帯域についての特性値のうちの少なくとも１つ、又はこれらの比に基づく特性値とすることができる。比較的低い周波数の帯域は、例えば３，０００Ｈｚ以下、１，０００Ｈｚ以下、５００Ｈｚ以下、好ましくは１０〜２００Ｈｚ、より好ましくは４０〜１００Ｈｚの周波数帯域とすることができ、比較的高い周波の帯域は、例えば５，０００Ｈｚ以上、８，０００Ｈｚ以上、１０，０００Ｈｚ以上、好ましくは１０，０００〜２０，０００Ｈｚ、より好ましくは１３，０００〜１７，０００Ｈｚの周波数帯域とすることができる。
【００４９】
一方、上記複数の基準化粧料について、それぞれ官能評価を行う。官能評価は、化粧料の塗布感触についてより客観的な判定を行うための訓練を受けた専門パネルによって行うことが好ましい。官能評価は、例えば、複数の基準化粧料のうち１つを標準の化粧料として、その標準の化粧料についての所定の塗布感触のスコアをゼロとした時のスコアを、−５〜＋５までのスコアを付けることによって評価することによって行うことができる。スコアの数は大きい程ポジティブな評価である。例えば、「きしみのなさ」という感触の評価では、スコアが大きい程きしみが感じられず、スコアが小さい程きしみを感じるという評価となっている。
【００５０】
各基準化粧料について求めた、上記の周波数に関連する特性値と官能評価との相関関係は、グラフ化したり、関係式で表したりすることができる。その例として、図５に、「きしみのなさ」について求めた、周波数に関連する特性値と官能評価との相関関係を示す。図５の例では、特性値として、１３，０００〜１７，０００Ｈｚの周波数帯域における周波数成分の含有率Ｈを、４０〜１００Ｈｚの周波数帯域における周波数成分の含有率Ｌで除したもの（Ｈ／Ｌ）を用いており、これをグラフの横軸としている。また、縦軸は、専門パネルによる「きしみのなさ」についての官能評価である。
【００５１】
図５によれば、Ｈ／Ｌ値が大きくなるほど、つまり高周波帯域の周波数成分の含有率が大きい程、塗布感触のスコアが大きくなっている。一般に、高周波の周波数帯域の音は心身に良いと言われているが、このことは、図５に例示したＨ／Ｌ値という特性値と官能評価との関係に反映されていると言える。
【００５２】
図５のグラフに基づいて、相関関係の直線近似式を求めておくこともできる。つまり、ｙを官能評価値、ｘを特性値（例えば、Ｈ／Ｌ）として、ｙ＝ａｘ＋ｂという近似式を求めておくことができる。これにより、評価対象の化粧料の摩擦音についての特性値を求めれば、その特性値を上記式に導入することで、官能評価の推定をすることが可能となる。
【００５３】
評価対象の化粧料の摩擦音の発生及び収集の条件は、予め取得しておいた相関関係における基準化粧料の摩擦音の発生及び収集の条件と同じであり、評価対象の化粧料についての特性値の求め方も、予め取得しておいた相関関係における基準化粧料についての特性値の求め方と同じにする。
【００５４】
（評価）
図２に示すように、解析手段３０で得られた情報、つまり周波数スペクトル又は周波数に関連する特性値は、評価手段４０へ送られる。評価手段４０には、解析手段３０で得られたこのような情報を、上記の相関関係と比較する比較手段が含まれる。
【００５５】
評価手段４０による評価ステップ（Ｓ３）では、評価対象とする化粧料について得られた周波数スペクトルそのものを、摩擦音に基づいて得られた周波数スペクトルと官能評価との相関関係と比較することができる。すなわち、評価対象の化粧料について得られた周波数スペクトルの形状と、データベース中の基準化粧料について得られた複数の周波数スペクトルの形状を比較し、最も近い形状を有する周波数スペクトルを選択し、その周波数スペクトルが対応する官能評価値を、評価対象の化粧料についての官能評価とすることができる。
【００５６】
また、評価ステップ（Ｓ３）では、評価対象とする化粧料について、上述の解析ステップ（Ｓ２）において求められた周波数に関連する特性値を求め、データベース中の摩擦音に基づいて得られた周波数に関連する特性値と官能評価との相関関係と比較することができる。
【００５７】
具体的には、検出された全周波数帯域の周波数成分の合計に対する、特定の周波数帯域における周波数成分の含有率又はこの含有率に基づき算出された値と、データベース中の同じ周波数帯域における周波数成分の含有率又はこの含有率に基づき算出された値と官能評価との相関関係とを比較する。例えば、比較的高い特定の第１の周波数帯域における周波数成分の含有率Ｈを、この第１の周波数帯域と重複しない比較的低い特定の第２の周波数帯域における周波数成分の含有率Ｌで除した値（Ｈ／Ｌ）を特性値とし、データベース中の基準化粧料について既に求められたＨ／Ｌと官能評価との相関関係と比較することができる。
【００５８】
本形態による方法は、乳液、化粧水、クリームといったスキンケア化粧料、メイクアップ化粧料等の皮膚用化粧料の評価に好適に用いることができる。また、スタイリング剤、ヘアケア剤、育毛剤等の毛髪用化粧料、シャンプー、ボディーシャンプー、洗顔料等の洗浄用化粧料の評価にも用いることができる。
【００５９】
また、上述の化粧料の塗布感触の評価方法は、さらに化粧料を選択する方法にも用いることができる。すなわち、本発明の一形態は、化粧料を選択する方法であって、複数の化粧料を上述の評価方法によって評価し、その評価により塗布感触の官能評価を推定し、その推定された官能評価に基づいて、複数の化粧料の中から、所望の官能評価が推定される化粧料を選択することを含む方法である。このような化粧料の選択方法により、より望ましい塗布感触を有する化粧料を、用途や製品の販売地等に応じて選択することができる。
【符号の説明】
【００６０】
１０  摩擦音発生手段
１１  移動プレート
１２  接触子
１３  化粧料
１４  基材
１５  被覆材
１８  摩擦音
２０  摩擦音収集手段
２１  音検出手段
２２  音記録手段
３０  解析手段
４０  評価手段
【図１】
2018151258.tif 000003
【図２】
2018151258.tif 000004
【図３】
2018151258.tif 000005
【図４】
2018151258.tif 000006
【図５】
2018151258.tif 000007